(57)【要約】【課題】電気光学装置を着脱しても、光軸上の所定の位置に配置できるプロジェクタを提供する。【解決手段】プロジェクタ１は、電気光学装置２５２と、投写レンズと、内部に光束の光軸が設定され、電気光学装置２５２および投写レンズを光軸上の所定の位置に配置する光学部品用筐体４と、電気光学装置２５２を保持し、電気光学装置２５２を光学部品用筐体４に取り付ける取付部５を備える。光学部品用筐体４は、電気光学装置２５２の光軸に対する位置決めを行うための位置決めボス４２Ｂ，４５Ｂを備え、取付部５は、位置決めボス４２Ｂ，４５Ｂと係合する切欠き５２１，５５１を有し、取付部５には、電気光学装置２５２が光学部品用筐体４に配置される際に、電気光学装置２５２を光学部品用筐体４に対して所定の方向に付勢し、位置決めボス４２Ｂ，４５Ｂと切欠き５２１，５５１とを係合させる付勢部５２２，５５２が設けられている。【選択図】図６
2009210768.tif 000002
【特許請求の範囲】
【請求項１】
光源から射出された光束を画像情報に応じて変調して画像光を形成する電気光学装置と、前記画像光を投写する投写光学装置と、内部に前記光束の光軸が設定され、前記電気光学装置および前記投写光学装置を前記光軸上の所定の位置に配置する光学部品用筐体とを備えたプロジェクタであって、
前記光学部品用筐体は、前記電気光学装置の前記光軸に対する位置決めを行うための位置決め部を備え、
前記電気光学装置を保持し、前記電気光学装置を前記光学部品用筐体に取り付ける取付部を備え、
前記取付部は、前記位置決め部と係合する係合部を有し、
前記取付部または前記光学部品用筐体のいずれか一方には、前記電気光学装置が前記光学部品用筐体に配置される際に、前記電気光学装置を前記光学部品用筐体に対して所定の方向に付勢し、前記位置決め部と前記係合部とを係合させる付勢部が設けられていることを特徴とするプロジェクタ。
【請求項２】
請求項１に記載のプロジェクタであって、
前記位置決め部、前記係合部および前記付勢部は、一対設けられ、一方の前記位置決め部および前記係合部は、一方の前記付勢部によって、前記電気光学装置が前記光軸方向に付勢されるように係合し、他方の前記位置決め部および前記係合部は、他方の前記付勢部によって、前記電気光学装置が前記光軸を通る鉛直面に向かって付勢されるように係合することを特徴とするプロジェクタ。
【請求項３】
請求項２に記載のプロジェクタであって、
前記光学部品用筐体には、前記電気光学装置を取り付けるための一対のネジ穴が設けられ、
前記取付部は、平面視において前記電気光学装置より突出し、略対角線上に設けられた一対の腕部を有し、前記一対の腕部の先端近傍には、前記係合部、および前記係合部に隣接し、前記ネジ穴に螺合するネジが挿通される孔がそれぞれ設けられていることを特徴とするプロジェクタ。
【請求項４】
請求項３に記載のプロジェクタであって、
前記係合部は、前記位置決め部に対して、前記ネジ穴にネジが螺合される際の回転方向の力が前記係合部から前記位置決め部に伝わるように位置していることを特徴とするプロジェクタ。
【請求項５】
請求項１〜請求項４のいずれか一項に記載のプロジェクタであって、
前記付勢部は、前記取付部または前記光学部品用筐体のいずれか一方に、一体的に形成されていることを特徴とするプロジェクタ。
【発明の詳細な説明】
【技術分野】
【０００１】
本発明は、画像光を投写するプロジェクタに関する。
【背景技術】
【０００２】
プロジェクタは、光源からの光束を電気光学装置により画像情報に応じて変調して画像光を形成し、投写光学装置により画像光をスクリーン等に投写する光学機器であり、企業内でのプレゼンテーションや、家庭内での映画鑑賞等の種々の用途に用いられている。
そして、複数の色光をそれぞれ画像情報に応じて変調する複数の液晶パネル、および変調された色光を合成する色合成光学装置（クロスダイクロイックプリズム）を有する電気光学装置を用い、この電気光学装置および投写光学装置を光軸上に配置する光学部品用筐体を備えたプロジェクタが知られている（例えば、特許文献１参照）。
【０００３】
特許文献１の電気光学装置は、色合成光学装置の３つの光束入射側端面に保持枠を介して液晶パネルが固定され、色合成光学装置の上面に取付部材が取付けられている。この取付部材は、４本の腕部を備え、これらの腕部にはそれぞれ丸孔が形成されている。一方、光学部品用筐体（ライトガイド）には、取付部材の丸孔に対応して２つの位置出し用の突部と、２つのネジ穴とが設けられている。そして、２つの丸孔に、位置出し用の突部が挿通されることで、電気光学装置は、光学部品用筐体に位置決めされ、さらに、残りの２つの丸孔にネジが挿通され、ネジ穴に螺合されることで、電気光学装置は、光学部品用筐体に固定される。
【０００４】
【特許文献１】特開２００２−２８７２５３号公報
【発明の開示】
【発明が解決しようとする課題】
【０００５】
しかしながら、特許文献１に記載の技術は、光学部品用筐体の位置出し用の突部を取付部材の丸孔に挿通させるために、突部と丸孔との間に多少の隙間が形成されている。この隙間により、取付部材つまり電気光学装置は、光学部品用筐体に取付けられる際に片寄りが生じ、光軸に対してずれたり、傾斜したりすることが考えられる。例えば、アフターサービス等において、電気光学装置の交換や清掃のために電気光学装置を取り外し、再び光学部品用筐体に取り付けると、着脱前後で電気光学装置の位置がずれる場合がある。そして、この位置ずれは、投写光学装置に対する位置ずれになるため、投写画像は、フォーカスのずれや表示影等が発生する虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源から射出された光束を画像情報に応じて変調して画像光を形成する電気光学装置と、前記画像光を投写する投写光学装置と、内部に前記光束の光軸が設定され、前記電気光学装置および前記投写光学装置を前記光軸上の所定の位置に配置する光学部品用筐体とを備えたプロジェクタであって、前記光学部品用筐体は、前記電気光学装置の前記光軸に対する位置決めを行うための位置決め部を備え、前記電気光学装置を保持し、前記電気光学装置を前記光学部品用筐体に取り付ける取付部を備え、前記取付部は、前記位置決め部と係合する係合部を有し、前記取付部または前記光学部品用筐体のいずれか一方には、前記電気光学装置が前記光学部品用筐体に配置される際に、前記電気光学装置を前記光学部品用筐体に対して所定の方向に付勢し、前記位置決め部と前記係合部とを係合させる付勢部が設けられていることを特徴とする。
【０００８】
この構成によれば、電気光学装置は、取付部に保持され、光学部品用筐体に配置される際に、付勢部によって光学部品用筐体に対して所定の方向に付勢される。そして、取付部の係合部が光学部品用筐体の位置決め部と係合する。位置決め部は、電気光学装置の光軸に対する位置決めを行うためのものであり、係合部は、位置決め部と隙間無く当接するので、電気光学装置は、光軸上の所定の位置に精度よく配置される。これによって、電気光学装置は、アフターサービス等の際に着脱されても、再び付勢部によって付勢されて精度良く光学部品用筐体に配置される。また、電気光学装置は、光軸上の所定の位置に配置されている投写光学装置に対しても、精度良く配置されるので、プロジェクタは、投写光学装置により、フォーカスのずれや表示影を抑制して画像光を投写することが可能となる。
【０００９】
［適用例２］上記適用例に係るプロジェクタにおいて、前記位置決め部、前記係合部および前記付勢部は、一対設けられ、一方の前記位置決め部および前記係合部は、一方の前記付勢部によって、前記電気光学装置が前記光軸方向に付勢されるように係合し、他方の前記位置決め部および前記係合部は、他方の前記付勢部によって、前記電気光学装置が前記光軸を通る鉛直面に向かって付勢されるように係合することが好ましい。
【００１０】
この構成によれば、一方の位置決め部および係合部は、一方の付勢部によって、電気光学装置が光軸方向に付勢されるように係合する。これによって、電気光学装置は、光軸方向における位置決めが行われて光軸上の適正な位置に配置されることが可能となる。また、他方の位置決め部および係合部は、他方の付勢部によって、電気光学装置が光軸を通る鉛直面に向かって付勢されるように係合する。これによって、電気光学装置は、光軸を通る鉛直面、すなわち光軸に対する角度の位置決めが行われて光軸上の適正な位置に配置されることが可能となる。
このように、一対の位置決め部、係合部および付勢部によって、電気光学装置は、光軸方向に対する位置決めと、光軸に対する角度の位置決めとが行われるので、より精度を高めて光学部品用筐体に配置されることが可能となる。
【００１１】
［適用例３］上記適用例に係るプロジェクタにおいて、前記光学部品用筐体には、前記電気光学装置を取り付けるための一対のネジ穴が設けられ、前記取付部は、平面視において前記電気光学装置より突出し、略対角線上に設けられた一対の腕部を有し、前記一対の腕部の先端近傍には、前記係合部、および前記係合部に隣接し、前記ネジ穴に螺合するネジが挿通される孔がそれぞれ設けられていることが好ましい。
【００１２】
この構成によれば、一対の係合部は、平面視において電気光学装置より突出した一対の腕部の先端近傍にそれぞれ設けられている。これによって、電気光学装置は、長い距離の間で位置決めされるので、近い距離の間で位置決めされる場合に比べて、精度を高めて配置されることが可能となる。また、取付部は、係合部の近くがネジによって光学部品用筐体に取付けられている。これによって、付勢部が電気光学装置を付勢する力が大きい場合にも確実に係合部を所定の位置に保持することができるので、さらに精度を高めて電気光学装置を配置することが可能となる。
【００１３】
［適用例４］上記適用例に係るプロジェクタにおいて、前記係合部は、前記位置決め部に対して、前記ネジ穴にネジが螺合される際の回転方向の力が前記係合部から前記位置決め部に伝わるように位置していることが好ましい。
【００１４】
この構成によれば、係合部は、位置決め部に対して、ネジ穴にネジが螺合される際の回転方向の力が係合部から位置決め部に伝わるように位置している。これによって、電気光学装置が光学部品用筐体に取付けられる際に、係合部と位置決め部とを離間させる力が抑制されるので、位置決め部と係合部とが当接する状態が保持され、電気光学装置は、精度良く光学部品用筐体に取り付けられることが可能となる。
【００１５】
［適用例５］上記適用例に係るプロジェクタにおいて、前記付勢部は、前記取付部または前記光学部品用筐体のいずれか一方に、一体的に形成されていることが好ましい。
【００１６】
この構成によれば、付勢部は、取付部または光学部品用筐体のいずれか一方に、一体的に形成されているので、別体に構成する場合に比べて、精度良く付勢部を構成することができる。これによって、電気光学装置を光学部品用筐体に対して付勢する力を安定して確保することが可能となる。
【発明を実施するための最良の形態】
【００１７】
以下、本実施形態に係るプロジェクタについて、図面を参照して説明する。
本実施形態のプロジェクタは、光源から射出される光束を画像情報に応じて変調して画像光を形成し、この画像光をスクリーン等に拡大投写する。
図１は、プロジェクタの概略構成を模式的に示す平面図である。
図１に示すように、プロジェクタ１は、略Ｌ字状の光学ユニット２、機器本体を収納し外装を構成する外装筐体３、外装筐体３内部を冷却する冷却ファン、画像情報に各種処理を施す制御部、制御部等に電力を供給する電源ユニット（いずれも図示せず）等を備える。
【００１８】
光学ユニット２は、制御部による制御の下、光源２１１から射出された光束を光学的に処理して画像情報に対応した画像光を形成して投写するユニットである。光学ユニット２は、光源装置２１、照明光学装置２２、色分離光学装置２３、リレー光学装置２４、光学装置２５、投写光学装置としての投写レンズ２６およびこれら各光学部品２１〜２６を所定位置に配置する光学部品用筐体４とを備える。
【００１９】
光源装置２１は、光源２１１およびリフレクタ２１２等を備える。そして、光源装置２１は、光源２１１から射出された光束をリフレクタ２１２によって射出方向を揃え、照明光学装置２２に向けて射出する。ここで、光源装置２１から射出された光束の光軸を光軸Ｌという。
【００２０】
照明光学装置２２は、第１レンズアレイ２２１、第２レンズアレイ２２２、偏光変換素子２２３、重畳レンズ２２４を備える。第１レンズアレイ２２１は、光軸Ｌ方向から見て略矩形の輪郭を有する小レンズがマトリクス状に配列された構成を有しており、光源装置２１から射出された光束を複数の部分光束に分割する。第２レンズアレイ２２２は、第１レンズアレイ２２１と略同様の構成を有しており、重畳レンズ２２４と共に、部分光束を後述する液晶パネル２５３の表面に略重畳させる。偏光変換素子２２３は、第２レンズアレイ２２２から射出されたランダム偏光光を液晶パネル２５３で利用可能な略１種類の偏光光に揃える機能を有する。
【００２１】
色分離光学装置２３は、２枚のダイクロイックミラー２３１，２３２、および反射ミラー２３３を備え、照明光学装置２２から射出された光束を赤色光（以下「Ｒ光」という）、緑色光（以下「Ｇ光」という）、青色光（以下「Ｂ光」という）の３色の色光に分離する機能を有する。
第１のダイクロイックミラー２３１は、Ｒ光を反射させると共に、Ｇ光およびＢ光を透過する。第１のダイクロイックミラー２３１で反射したＲ光は、反射ミラー２３３で反射され、Ｒ光用の液晶パネル２５３Ｒに入射する。第２のダイクロイックミラー２３２は、Ｇ光を反射させると共に、Ｂ光を透過する。そして、第１のダイクロイックミラー２３１を透過したＧ光とＢ光のうちＧ光は、第２のダイクロイックミラー２３２によって反射され、Ｇ光用の液晶パネル２５３Ｇに入射する。一方、Ｂ光は、第２のダイクロイックミラー２３２を透過し、リレー光学装置２４に入射する。
【００２２】
リレー光学装置２４は、入射側レンズ２４１、リレーレンズ２４３、および反射ミラー２４２，２４４を備え、色分離光学装置２３で分離されたＢ光をＢ光用の液晶パネル２５３Ｂまで導く機能を有する。
色分離光学装置２３から射出されたＢ光は、入射側レンズ２４１によってリレーレンズ２４３近傍で収束し、反射ミラー２４４に向かって発散する。反射ミラー２４４に入射する光束の大きさは、入射側レンズ２４１に入射する光束の大きさに略等しくなるように設定されている。このように、Ｂ光にリレー光学装置２４が用いられているのは、Ｂ光の光路の長さが他の色光の光路の長さよりも長いため、光の発散等による光の利用効率の低下を防止するためである。
ここで、各液晶パネル２５３Ｒ，２５３Ｇ，２５３Ｂに入射する各色光の光軸をそれぞれ光軸ＬＲ，ＬＧ，ＬＢという。なお、光学ユニット２は、リレー光学装置２４がＢ光を導く構成としているが、これに限らず、例えば、Ｒ光を導く構成としてもよい。
【００２３】
光学装置２５は、入射側偏光板２５１と電気光学装置２５２とを備え、入射した各色光を画像情報に応じて変調して画像光を形成する。
入射側偏光板２５１は、各色光毎に備えられており、透光性基板上に偏光膜が貼付されて構成されている。そして、入射側偏光板２５１は、色分離光学装置２３で分離された各色光のうち、偏光変換素子２２３で揃えられた偏光光を透過し、その偏光光と異なる偏光光を吸収して電気光学装置２５２に射出する。
【００２４】
電気光学装置２５２は、光変調装置として３つの液晶パネル２５３（Ｒ光用の液晶パネルを２５３Ｒ、Ｇ光用の液晶パネルを２５３Ｇ、Ｂ光用の液晶パネルを２５３Ｂとする）と、各液晶パネル２５３の光路後段側に配置される射出側偏光板２５４と、色合成光学装置としてのクロスダイクロイックプリズム２５５とを備える。
液晶パネル２５３は、一対の透明なガラス基板に電気光学物質である液晶が密閉封入された構成を有し、制御部からの駆動信号に応じて、液晶の配向状態が制御され、入射側偏光板２５１から射出された色光を変調する。
射出側偏光板２５４は、入射側偏光板２５１と略同様の機能を有し、液晶パネル２５３から射出された光束のうち一定方向の偏光光を透過し、その他の光束を吸収する。
【００２５】
クロスダイクロイックプリズム２５５は、４つの直角プリズムを貼り合わせた平面視略正方形状をなし、直角プリズム同士を貼り合わせた界面には、２つの誘電体多層膜が形成されている。そして、クロスダイクロイックプリズム２５５は、射出側偏光板２５４から射出された各色光を光束入射側端面から取り込んで合成して画像光を形成し、光束射出側端面から射出する。
また、クロスダイクロイックプリズム２５５の上面には、電気光学装置２５２を保持する取付部が取付けられている。なお、取付部の詳細については、後述する。
【００２６】
投写レンズ２６は、複数のレンズを組み合わせた組レンズとして構成され、電気光学装置２５２にて形成された画像光をスクリーン上に拡大投写する。
【００２７】
光学部品用筐体４は、光束の光軸Ｌ，ＬＲ，ＬＧ，ＬＢが内部に設定されており、前述した光学部品２１〜２６を光軸Ｌ，ＬＲ，ＬＧ，ＬＢ上の所定の位置に配置する。
図２、図３は、光学部品用筐体４の斜視図である。具体的に、図２は、光学部品用筐体４を前方上側から見た図であり、電気光学装置２５２を分離し、投写レンズ２６を取付けた状態を示す図である。図３は、光学部品用筐体４を後方上側から見た図であり、電気光学装置２５２を分離した状態を示す図である。なお、以下では、図２における図面視において、右を「右」（＋Ｘ方向）、上を「上」（＋Ｚ方向）、前を「前」（＋Ｙ方向）として記載する。
【００２８】
図２、図３に示すように、光学部品用筐体４は、上方（＋Ｚ方向）に開口部が形成された箱状に形成されている。そして、左側（−Ｘ側）端部には、左右方向に開口部４６が形成されている。そして、左側端部に光源装置２１（図１参照）が配置され、開口部４６から内部に向けて光束が射出される。光学部品用筐体４の内壁面には、複数の溝が設けられており、各光学部品は、側端部がこの溝に挿入されて配置される。前方右寄りの側壁には、前後方向（±Ｙ方向）に開口部を有する側壁４１が設けられており、この側壁４１には、ネジによって投写レンズ２６が光軸Ｌ，ＬＲ，ＬＧ，ＬＢ上の所定の位置に精度良く取付けられる。
【００２９】
図３に示すように、側壁４１の後方（−Ｙ方向）には、取付部を介して電気光学装置２５２を取付ける４つの突起部４２，４３，４４，４５が形成されている。
突起部４２，４３は、側壁４１の内面に、光軸ＬＧを通る鉛直面ＦＧに対して略対称となる右側と左側にそれぞれ形成されている。突起部４４，４５は、光軸ＬＢを通る鉛直面ＦＢに対して突起部４２，４３とそれぞれ略対称の位置に形成されている。
また、突起部４２，４５の上面には、円柱状の位置決めボス４２Ｂ，４５Ｂがそれぞれ設けられている。位置決めボス４２Ｂ，４５Ｂは、電気光学装置２５２の光軸ＬＧ，ＬＢ，ＬＲに対する位置決めを行うための位置決め部としての機能を有する。また、突起部４２，４５には、位置決めボス４２Ｂ，４５Ｂに隣接して、右ネジに対応するネジ穴４２Ａ，４５Ａがそれぞれ設けられている。
【００３０】
ここで、電気光学装置２５２および取付部５の構成について説明する。
図２、図３に示すように、電気光学装置２５２は、クロスダイクロイックプリズム２５５の３つの光束入射側端面に液晶パネル２５３および射出側偏光板２５４（図１参照）がそれぞれ色光毎に保持部材を介して固定された構造となっている。そして、取付部５は、クロスダイクロイックプリズム２５５の上面に接着剤を介して取付けられている。
【００３１】
図４は、クロスダイクロイックプリズム２５５に取付けられた取付部５を上方から見た平面図である。
図４の図面視において、液晶パネル２５３Ｒ，２５３Ｇ，２５３Ｂは、クロスダイクロイックプリズム２５５の左側、上側、右側のそれぞれの光束入射側端面に対向して配置されている。また、液晶パネル２５３Ｒは、電気光学装置２５２が光学部品用筐体４の所定の位置に配置された際に、液晶パネル２５３Ｒに略直交する中心線ＰＲが光軸ＬＲと略一致するように取付けられている。液晶パネル２５３Ｇ，２５３Ｂも同様に、電気光学装置２５２が光学部品用筐体４の所定の位置に配置された際に、中心線ＰＧ，ＰＢが光軸ＬＧ，ＬＢとそれぞれ略一致するように取付けられている。
なお、図４において省略しているが、射出側偏光板２５４は、クロスダイクロイックプリズム２５５の各光束入射側端面と液晶パネル２５３Ｒ，２５３Ｇ，２５３Ｂとの間にそれぞれ固定されている。
【００３２】
取付部５は、合成樹脂で形成されており、図４に示すように、平面がクロスダイクロイックプリズム２５５の上面と略同一の大きさを有する角柱状の基部５１と、基部５１の角部から外側に向かって突出した４つの腕部５２，５３，５４，５５とを有している。
腕部５２は、図４の図面視において、光束射出側端面２５５Ｓと液晶パネル２５３Ｂとの間の角部から突出している。腕部５３は、図４の図面視において、光束射出側端面２５５Ｓと、液晶パネル２５３Ｒとの間の角部から突出している。腕部５４，５５は、腕部５３，５２に対してそれぞれ略対角となる位置に形成されている。
【００３３】
腕部５２には、先端近傍に丸孔５２Ａが形成されている。また、腕部５２の丸孔５２Ａに隣接する光束射出側端面２５５Ｓ側の側面には、中心線ＰＧに対して略直交する平面５２１Ｇと、中心線ＰＢ（中心線ＰＲ）に対して略直交する平面５２１ＢＲとを有するＬ字状の切欠き５２１が形成されている。切欠き５２１は、光学部品用筐体４の位置決めボス４２Ｂ（図３参照）に対応した位置に設けられ、平面５２１Ｇおよび平面５２１ＢＲが位置決めボス４２Ｂと当接して係合する係合部としての機能を有している。具体的に、平面５２１Ｇは、位置決めボス４２Ｂと当接した際に、光軸ＬＧ方向（中心線ＰＧ方向）における電気光学装置２５２の位置決めを行うように設定されている。また、平面５２１ＢＲは、位置決めボス４２Ｂと当接した際に、光軸ＬＢ方向（中心線ＰＢ方向）における電気光学装置２５２の位置決めを行うように設定されている。
【００３４】
また、腕部５２には、切欠き５２１と間隙５２Ｋを有して対向し、基部５１側を基端として外側に延出する直方体状の付勢部５２２が形成されている。
付勢部５２２は、基端を支点として撓むことによってバネとしての機能を有し、間隙５２Ｋを広げるような部材が挿入されると撓み、切欠き５２１側を付勢部５２２側に付勢しようとする力（付勢力）が発生する。具体的に、付勢部５２２の切欠き５２１側の面、平面５２１Ｇおよび平面５２１ＢＲの３つの面に接するように形成される円形５２Ｃ（図４において二点鎖線で示す）の径寸法より大きな寸法の部材が挿入されると、付勢部５２２は、撓んで付勢力が発生する。
付勢部５２２は、円形５２Ｃの径寸法が位置決めボス４２Ｂの外形寸法より小さくなるように設定されている。
【００３５】
腕部５５の先端近傍には、丸孔５５Ａが形成されている。また、腕部５５の丸孔５５Ａに隣接する液晶パネル２５３Ｇ側の側面には、中心線ＰＧを通る鉛直面ＦＰＧに対して傾斜する斜面５５１Ｓを有するコ字状の切欠き５５１が形成されている。切欠き５５１は、光学部品用筐体４の位置決めボス４５Ｂ（図３参照）に対応した位置に設けられ、斜面５５１Ｓが位置決めボス４５Ｂと当接して係合する係合部としての機能を有している。具体的に、斜面５５１Ｓは、位置決めボス４５Ｂと当接した際に、鉛直面ＦＧ、すなわち光軸ＬＧおよび光軸ＬＢ（光軸ＬＲ）に対する電気光学装置２５２の角度の位置決めを行うように設定されている。
そして、切欠き５５１は、前述した切欠き５２１と共に、位置決めボス４５Ｂ，４２Ｂとそれぞれ係合した際に、光軸ＬＧと中心線ＰＧと、光軸ＬＢ（光軸ＬＲ）と中心線ＰＢ（中心線ＰＲ）とがそれぞれ略一致するように設定されている。
【００３６】
また、腕部５５には、切欠き５５１と間隙５５Ｋを有して対向し、基部５１側を基端として外側に延出する直方体状の付勢部５５２が形成されている。
付勢部５５２は、付勢部５２２と同様に、基端を支点として撓むことによってバネとしての機能を有する。そして、付勢部５５２の切欠き５５１側の面および斜面５５１Ｓの２つの面に接するように形成される円形５５Ｃ（図４において二点鎖線で示す）の径寸法より大きな寸法の部材が挿入されると、付勢部５２２には、切欠き５５１側を付勢部５５２側に付勢しようとする力（付勢力）が発生する。
付勢部５５２は、円形５５Ｃの径寸法が位置決めボス４５Ｂの外形寸法より小さくなるように設定されている。
【００３７】
図５は、取付部５を下方から見た斜視図である。
図５に示すように、腕部５３の先端近傍には、円柱状に突出するボス５３Ａが形成されている。ボス５３Ａは、光学部品用筐体４の丸穴４３Ａ（図２参照）に対応した位置に設けられており、その外径寸法は、丸穴４３Ａの内径寸法より小さく設定されている。
腕部５４の先端近傍には、円柱状に突出するボス５４Ａが形成されている。ボス５４Ａは、光学部品用筐体４の丸穴４４Ａ（図２参照）に対応した位置に設けられており、その外径寸法は、丸穴４４Ａの内径寸法より小さく設定されている。
基部５１の底面５１Ａは、平担に形成されており、底面５１Ａとクロスダイクロイックプリズム２５５の上面とが接着剤を介して固定されることによって、取付部５は、クロスダイクロイックプリズム２５５の上部に取付けられる。
【００３８】
次に、取付部５を介して電気光学装置２５２が光学部品用筐体４に取り付けられる取付け構造について説明する。
図３に戻って、電気光学装置２５２は、液晶パネル２５３Ｇが後方（−Ｙ方向）を向く姿勢で光学部品用筐体４上方の開口部から組み込まれる。具体的に、電気光学装置２５２は、取付部５の間隙５２Ｋに位置決めボス４２Ｂが挿通され、間隙５５Ｋに位置決めボス４５Ｂが挿通されて、光学部品用筐体４に配置される。
【００３９】
図６は、電気光学装置２５２が光学部品用筐体４に配置された状態を示す平面図である。
図６に示すように、位置決めボス４２Ｂが間隙５２Ｋに挿通されると、付勢部５２２は、間隙５２Ｋが広がるように撓み、付勢力が発生する。その付勢力によって電気光学装置２５２は、付勢部５２２側に付勢され、切欠き５２１と、位置決めボス４２Ｂとが係合し、平面５２１Ｇおよび平面５２１ＢＲと、位置決めボス４２Ｂとが当接する。
一方、位置決めボス４５Ｂが間隙５５Ｋに挿通されると、付勢部５５２は、間隙５５Ｋが広がるように撓み、付勢力が発生する。その付勢力によって電気光学装置２５２は、付勢部５５２側に付勢され、切欠き５５１と位置決めボス４５Ｂとが係合し、斜面５５１Ｓと位置決めボス４２Ｂとが当接する。
その結果、電気光学装置２５２は、光軸ＬＧ方向および光軸ＬＢ方向（光軸ＬＲ方向）において適正な位置に配置されると共に、光軸ＬＧおよび光軸ＬＢ（光軸ＬＲ）に対する角度が適正な角度になるように位置決めされ、光軸ＬＧおよび光軸ＬＢ（光軸ＬＲ）上の所定の位置に配置される。
【００４０】
このように、位置決めボス４２Ｂおよび切欠き５２１は、付勢部５２２によって、電気光学装置２５２が光軸ＬＧ方向および光軸ＬＢ方向（光軸ＬＲ方向）に付勢されるように係合する。そして、位置決めボス４５Ｂおよび切欠き５５１は、付勢部５５２によって、電気光学装置２５２が鉛直面ＦＧ、すなわち、光軸ＬＧに向かって付勢されるように係合する。その結果、電気光学装置２５２は、光軸ＬＧと中心線ＰＧと、光軸ＬＢ（光軸ＬＲ）と中心線ＰＢ（中心線ＰＲ）とがそれぞれ略一致した所定の位置に配置される。
【００４１】
電気光学装置２５２は、光学部品用筐体４に配置された後、図３に示すように、丸孔５２Ａおよび丸孔５５Ａに右ネジが形成されたネジＳＣがそれぞれ挿通され、ネジ穴４２Ａ，４５ＡにネジＳＣがそれぞれ螺合されて、光学部品用筐体４に固定される。
ネジ穴４２Ａ，４５ＡにネジＳＣが螺合される際に、取付部５には、ネジを回転させる方向の力が加わる。具体的に、図６に示すように、ネジＳＣには右ネジが形成されているので、ネジ穴４２ＡにネジＳＣが螺合される場合、取付部５には、ネジ穴４２Ａの中心を回転中心として時計回転方向（図６における矢印５５Ｒ）の力が加わる。切欠き５５１は、位置決めボス４５Ｂに対して、この回転方向の上流側、つまり、この回転方向の力が切欠き５５１から位置決めボス４５Ｂに伝わるように位置している。これによって、ネジ穴４２ＡにネジＳＣが螺合される際にも位置決めボス４５Ｂと切欠き５５１とがそれぞれ当接する状態が保持される。
ネジ穴４５ＡにネジＳＣが螺合される場合も同様に、取付部５には、ネジ穴４５Ａの中心を回転中心として時計回転方向（図６における矢印５２Ｒ）の力が加わる。切欠き５２１は、この回転方向の力が切欠き５２１から位置決めボス４２Ｂに伝わるように位置しているので位置決めボス４２Ｂと切欠き５２１とがそれぞれ当接する状態が保持される。
このように、電気光学装置２５２は、光学部品用筐体４にネジ固定される際にも、光学部品用筐体４の所定の位置に保持される。
【００４２】
なお、取付部５は、電気光学装置２５２が光学部品用筐体４に配置される際に、ボス５３Ａ，５４Ａが丸穴４３Ａ，４４Ａに対してそれぞれ隙間を有して挿通される。ボス５３Ａ，５４Ａおよび丸穴４３Ａ，４４Ａは、プロジェクタ１の落下等によって電気光学装置２５２に衝撃が加わった際に、ボス５３Ａと丸穴４３Ａと、ボス５４Ａと丸穴４４Ａとがそれぞれ当接して取付部５に加わる衝撃力を分散させ、取付部５を破損しないように機能している。
【００４３】
以上説明したように、本実施形態のプロジェクタ１によれば、以下の効果を得ることができる。
（１）本実施形態のプロジェクタ１によれば、電気光学装置２５２は、取付部５に保持され、光学部品用筐体４に配置される際に、付勢部５２２，５５２によって光学部品用筐体４に対して所定の方向に付勢される。そして、電気光学装置２５２は、光軸ＬＲ，ＬＧ，ＬＢ上の所定の位置に精度よく配置される。これによって、電気光学装置２５２は、アフターサービス等の際に着脱されても、再び付勢部５２２，５５２によって付勢されて精度良く光学部品用筐体４に配置される。また、電気光学装置２５２は、光学部品用筐体４に取付けられている投写レンズ２６に対しても、精度良く配置されるので、プロジェクタ１は、投写レンズ２６により、フォーカスのずれや表示影を抑制して画像光を投写することが可能となる。
【００４４】
（２）本実施形態のプロジェクタ１によれば、電気光学装置２５２は、一対に設けられた位置決めボス４２Ｂ，４５Ｂ、切欠き５２１，５５１、付勢部５２２，５５２によって、光軸ＬＧ方向および光軸ＬＢ（光軸ＬＲ）方向に対する位置決めと、光軸ＬＧおよび光軸ＬＢ（光軸ＬＲ）に対する角度の位置決めとが行われるので、より精度を高めて光学部品用筐体４に配置されることが可能となる。
【００４５】
（３）本実施形態のプロジェクタ１によれば、切欠き５２１，５５１は、平面視において電気光学装置２５２より突出した一対の腕部の先端近傍にそれぞれ設けられている。これによって、電気光学装置２５２は、長い距離の間で位置決めされるので、近い距離の間で位置決めされる場合に比べて、精度を高めて配置されることが可能となる。また、取付部５は、切欠き５２１，５５１の近くがネジＳＣによって光学部品用筐体４に取付けられている。これによって、付勢部５２２，５５２が電気光学装置２５２を付勢する力が大きい場合にも、確実に切欠き５２１，５５１を所定の位置に保持することができるので、さらに精度を高めて電気光学装置２５２を配置することが可能となる。
【００４６】
（４）本実施形態のプロジェクタ１によれば、切欠き５２１，５５１は、位置決めボス４２Ｂ，４５Ｂに対して、ネジ穴４２Ａ，４５ＡにネジＳＣが螺合される際の回転方向の力が切欠き５２１，５５１から位置決めボス４２Ｂ，４５Ｂにそれぞれ伝わるように位置している。これによって、電気光学装置２５２が光学部品用筐体４に取付けられる際に、切欠き５２１，５５１と位置決めボス４２Ｂ，４５Ｂとを離間させる力が抑制されるので、位置決めボス４２Ｂ，４５Ｂと切欠き５２１，５５１とがそれぞれ当接する状態が保持され、電気光学装置２５２は、精度良く光学部品用筐体４に取り付けられる。
【００４７】
（５）本実施形態のプロジェクタ１によれば、付勢部５２２，５５２は、取付部５に、一体的に形成されているので、別体に構成する場合に比べて、精度良く形成することができる。これによって、電気光学装置２５２を光学部品用筐体４に対して付勢する力を安定して確保することが可能となる。
また、別体に構成する場合に比べて、部品点数を少なく構成することができると共に別部材を取付けるためのスペースが不要となるので、低コスト化、省スペース化を図ることが可能となる。
【００４８】
（６）本実施形態のプロジェクタ１によれば、フォーカスのずれを抑制することが可能となるので、投写レンズ２６の焦点深度規格を緩和させることができる。これによって、投写レンズ２６を構成している各レンズの光学規格を緩和して投写レンズ２６の低コスト化を図ることが可能となる。
【００４９】
（変形例）
なお、前記実施形態は、以下のように変更してもよい。
前記実施形態では、付勢部５２２，５５２は、取付部５に設けられているが、光学部品用筐体４に設けられていてもよい。また、付勢部５２２，５５２は、別部材、例えば金属の板材等で構成してもよい。
【００５０】
前記実施形態では、２つの付勢部５２２，５５２を用いているが、１つの付勢部で構成してもよい。
【００５１】
前記実施形態では、光学部品用筐体４の位置決め部として凸形状の位置決めボス４２Ｂ，４５Ｂを用い、取付部５の係合部として凹形状の切欠き５２１，５５１を用いているが、凹形状の位置決め部と、凸形状の係合部とで構成してもよい。
【００５２】
前記実施形態では、取付部５を電気光学装置２５２の上方に取付けるように構成しているが、下方側に固定する構成にしてもよい。
また、取付部５にネジ穴を形成し、光学部品用筐体４にネジＳＣを挿通する孔を形成して光学部品用筐体４から取付部５にネジＳＣを螺合させて電気光学装置２５２を光学部品用筐体４に取付けるように構成してもよい。
【００５３】
入射側偏光板２５１を電気光学装置２５２に取付けるように構成してもよい。
【００５４】
前記実施形態のプロジェクタ１は、光変調装置として透過型の液晶パネル２５３を用いているが、反射型の液晶パネルを利用したものであってもよい。また、光変調装置は、Ｒ光、Ｇ光、およびＢ光に対応する３つの液晶パネル２５３を用いるいわゆる３板方式を採用しているが、これに限らず、コントラストを向上するための液晶パネル２５３を追加してもよい。
【００５５】
前記実施形態のプロジェクタ１は、フロントタイプのプロジェクタとして適用しているが、投写対象面としてのスクリーンを一体で有するリアタイプのプロジェクタにも適用できる。
【図面の簡単な説明】
【００５６】
【図１】プロジェクタの概略構成を模式的に示す平面図。
【図２】光学部品用筐体を前方上側から見た斜視図。
【図３】光学部品用筐体を後方上側から見た斜視図。
【図４】取付部を上方から見た平面図。
【図５】取付部を下方から見た斜視図。
【図６】電気光学装置が光学部品用筐体に配置された状態を示す平面図。
【符号の説明】
【００５７】
１…プロジェクタ、２…光学ユニット、４…光学部品用筐体、５…取付部、２６…投写レンズ、４２Ａ，４５Ａ…ネジ穴、４２Ｂ，４５Ｂ…位置決めボス、５２，５３，５４，５５…腕部、５２Ａ，５５Ａ…丸孔、２１１…光源、２５２…電気光学装置、２５３…液晶パネル、２５５…クロスダイクロイックプリズム、５２１，５５１…切欠き、５２２，５５２…付勢部、Ｌ，ＬＲ，ＬＧ，ＬＢ…光軸、ＳＣ…ネジ。
【図１】
2009210768.tif 000003
【図２】
2009210768.tif 000004
【図３】
2009210768.tif 000005
【図４】
2009210768.tif 000006
【図５】
2009210768.tif 000007
【図６】
2009210768.tif 000008